(57)【要約】【課題】  フレア光等に影響される領域でのシェーディングによる筋画像等の異常画像の発生を防止して、最適領域でのシェーディングを実施して高速で高品質の画像を形成する低コストの原稿画像読取装置、及び、その原稿画像読取装置を具備する画像形成装置を提供する。【解決手段】  読み取り原稿（Ｏ）の原稿画像を読み取る原稿画像読取手段１と、上記原稿画像読取手段１の読み取り原稿（Ｏ）の原稿画像の読み取りに際して行うシェーディングに使用する基準板２と、上記基準板２に形成した三角形状の三角マーク３と、上記三角マーク３の出力巾でシェーディングスキャンライン位置を判定するシェーディングスキャンライン位置判定手段４とからなる。【選択図】  図１
2006094009.tif 000002
【特許請求の範囲】
【請求項１】
基準板を設けてシェーディング処理することにより原稿画像を読み取る原稿画像読取装置において、読み取り原稿の画像を読み取る原稿画像読取手段と、前記原稿画像読取手段の読み取り原稿の画像の読み取りに際して行うシェーディングに使用する基準板と、該基準板に形成した三角形状の三角マークと、該三角マークの出力巾でシェーディングスキャンライン位置を判定するシェーディングスキャンライン位置判定手段とからなることを特徴とする原稿画像読取装置。
【請求項２】
請求項１に記載の原稿画像読取装置において、前記基準板は、白色の白基準板であることを特徴とする原稿画像読取装置。
【請求項３】
請求項１又は２に記載の原稿画像読取装置において、前記三角マークは、基準板の複数個所に形成したことを特徴とする原稿画像読取装置。
【請求項４】
請求項１、２又は３に記載の原稿画像読取装置において、前記三角マークは、基準板の読み取り画像領域の外の端に形成したことを特徴とする原稿画像読取装置。
【請求項５】
請求項１、２、３又は４に記載の原稿画像読取装置において、前記シェーディングスキャンライン位置判定手段は、前記三角マークの出力巾でシェーディングスキャンライン位置の判定値を表示する表示手段からなることを特徴とする原稿画像読取装置。
【請求項６】
請求項１、２、３、４又は５に記載の原稿画像読取装置において、前記シェーディングスキャンライン位置判定手段は、原稿画像読取手段のスキャナをシェーディングスキャンライン位置に移動させるシェーディング位置移動駆動手段からなることを特徴とする原稿画像読取装置。
【請求項７】
請求項６に記載の原稿画像読取装置において、前記シェーディング位置移動駆動手段は、原稿画像読取手段のスキャナを走査駆動する駆動源と兼用したことを特徴とする原稿画像読取装置。
【請求項８】
請求項１、２、３、４、５、６又は７に記載の原稿画像読取装置において、前記シェーディングスキャンライン位置判定手段は、三角マークの出力巾で判定したシェーディングスキャンライン位置を基準にして、原稿画像読取手段の読み取り原稿の読み取りを開始させることを特徴とする原稿画像読取装置。
【請求項９】
原稿画像読取装置で読み取った原稿読み取り画像データで画像を形成する画像形成装置において、請求項１、２、３、４、５、６、７又は８に記載の原稿画像読取装置と、前記原稿画像読取装置で読み取った読み取り原稿の原稿読み取り画像データで画像を形成する画像形成部とからなることを特徴とする画像形成装置。
【請求項１０】
請求項９に記載の画像形成装置において、前記画像形成部は、電子写真方法の作像プロセスでトナー画像を形成することを特徴とする画像形成装置。
【発明の詳細な説明】
【技術分野】
【０００１】
本発明は、原稿画像読取装置、及び、その原稿画像読取装置を具備する画像形成装置に関し、詳しくは、基準板を設けてシェーディングして原稿画像を読み取る画像読取装置、及び、その画像読取装置を具備して画像読取装置で読み取った原稿読み取り画像データで画像を形成する印刷装置等のインクジェットプリンタや電子写真方法による帯電、書き込み、現像、転写、クリーニング等の作像プロセスを繰り返してトナー画像を形成する複写機、ファクシミリ装置、プリンタ、あるいはこれ等の複合機等の画像形成装置に関する。
【背景技術】
【０００２】
従来から、画像読取装置、及び、その画像読取装置を具備する画像形成装置では、複写機、プリンタ、ファクシミリ装置等におけるミラースキャン型読取装置は、コンタクトガラス上のスケール基準に読み取り原稿がセットされて、白圧板にて押えられる。
そこで、コピースタートで、駆動モータが回転して、第１キャリッジと第２キャリッジが歯車やタイミングベルト等を介して駆動する。
第１キャリッジが、一度、ポームポジションセンサに行き、そこから、一定のパルス量だけ、駆動モータが回転して、白基準板の下でシェーディングされる。
照明用ランプにて、原稿、及び、白基準板を照射し、第１ミラー、第２ミラー、第３ミラー、レンズを介して、ＣＣＤに光が入って原稿画像の読み取りが行われる。
然し、ＣＣＤの光軸や第１キャリッジの光軸、第２キャリッジの光軸、ダハ角等で、読み取りの光軸の位置は、各ユニットによって変化してしまう。
原稿画像の読み取り側の光軸は、レジスト調整等で、光軸の調整をすることが出来るけれども、シェーディング位置に関しては、調整機構が無く、ホームポジションセンサから一定のパルス数だけ動かした位置である為に、各ユニットによりバラツキ、最適な光軸の位置でのシェーディングが出来なくなる場合があった（図９を参照）。
ラインセンサによって原稿の読み取りを行うに際しては、ラインセンサによって白基準部位を読み取り、白基準部位の読み取りによって得られた画像信号をシェーディング補正用の白基準データとして記憶し、原稿の読み取りによって得られた画像信号のシェーディング補正を、白基準データを用いて行う画像読取装置において、白基準部位に、その開始位置を示す白基準先頭位置マークが設けられ、ラインセンサによって読み取られる白基準部位、及び、原稿の画像信号を増幅する増幅手段のゲイン設定を、白基準先頭位置マークの読み取り検出後の増幅手段で増幅された白基準部位の画像信号のレベルに応じて行い、ゲイン設定された増幅手段からの白基準部位の画像信号をシェーディング補正用の白基準データとして、シェーディング補正用の白基準データが確実に得られるようにすることは公知である（特許文献１を参照）。
原稿テーブルは、ガラス面の一端側に基準位置板を備えて、基準位置板は、露光ランプやミラーを備えた第１キャリッジに面する側に、第１マークを備えたエリア、第２マークを備えたエリア、それらの間に設けられた白領域としてのエリア、及び、シェーディング補正エリアを含むエリアを有していて、第１マークの中心は、第１キャリッジのホームポジションにして、このようなマークを有する基準位置板を照明した時にＣＣＤラインセンサから出力される電圧信号に基づいて、第１キャリッジをホームポジションに導くようにして、コストを低減することが可能であるとともに装置の小型化が可能で、且つ、確実にイニシャライズ動作において、第１キャリッジを所定のホームポジションに導くことも公知である（特許文献２を参照）。
然し、×形状のマークを使用しているが、スキューでの左右の光軸ずれに対応するもではない。
【０００３】
従来のシェーディングを用いた原稿画像読取装置は、各製品ごとに、読み取りの光軸位置はばらつくが、それに対応する調整機構を有していなかった。
ＣＣＤの光軸や第１キャリッジの光軸、第２キャリッジの光軸、ダハ角等で読み取りの光軸位置は、各製品によって変化してしまう。
画像領域に関しては、レジスト調整等で、光軸を調整する機構があるが、シェーディング位置に関しては、ホームポジションセンサから一定のパルス数だけ移動した位置で、シェーディングされ、調整機構はなかった。
その為に、光軸位置が大きくずれた場合には、白基準板の端の位置でシェーディングされて、フレア光等に影響される領域でのシェーディングとなり、筋画像等の異常画像等が発生していた。
従って、従来の原稿画像読取装置、及び、その原稿画像読取装置を具備する画像形成装置においては、ＣＣＤの光軸や第１キャリッジの光軸、第２キャリッジの光軸、ダハ角等で読み取りの光軸位置は各製品によって変化してしまうことに対して、画像領域に関してはレジスト調整等で光軸を調整する機構があるが、シェーディング位置に関してはホームポジションセンサから一定のパルス数だけ移動した位置でシェーディングされるだけで調整機構はなかった。その為に、光軸位置が大きくずれた場合には、白基準板等の端の位置でシェーディングされて、フレア光等に影響される領域でのシェーディングとなり筋画像等の異常画像が発生して、最適領域でのシェーディングを実施することが出来なくなると言う不具合が生じていた。
【特許文献１】特開２００２−２３７９４５公報
【特許文献２】特開２００１−５１１９公報
【発明の開示】
【発明が解決しようとする課題】
【０００４】
従来の原稿画像読取装置、及び、その原稿画像読取装置を具備する画像形成装置においては、ＣＣＤの光軸や第１キャリッジの光軸、第２キャリッジの光軸、ダハ角等で読み取りの光軸位置は各製品によって変化してしまうことに対して、画像領域に関してはレジスト調整等で光軸を調整する機構があるが、シェーディング位置に関してはホームポジションセンサから一定のパルス数だけ移動した位置でシェーディングされるだけで調整機構はなかった。その為に、光軸位置が大きくずれた場合には、白基準板等の端の位置でシェーディングされて、フレア光等に影響される領域でのシェーディングとなり筋画像等の異常画像が発生して、最適領域でのシェーディングを実施することが出来なくなると言う問題が発生していた。
そこで本発明の課題は、このような問題点を解決するものである。即ち、フレア光等に影響される領域でのシェーディングによる筋画像等の異常画像の発生を防止して、最適領域でのシェーディングを実施して高速で高品質の画像を形成する低コストの原稿画像読取装置、及び、その原稿画像読取装置を具備する画像形成装置を提供することを目的とする。
【課題を解決するための手段】
【０００５】
上記目的を達成するために、請求項１に記載の本発明は、基準板を設けてシェーディング処理することにより原稿画像を読み取る原稿画像読取装置において、読み取り原稿の画像を読み取る原稿画像読取手段と、前記原稿画像読取手段の読み取り原稿の画像の読み取りに際して行うシェーディングに使用する基準板と、該基準板に形成した三角形状の三角マークと、該三角マークの出力巾でシェーディングスキャンライン位置を判定するシェーディングスキャンライン位置判定手段とからなることを特徴とする。
請求項２に記載の本発明は、請求項１に記載の原稿画像読取装置において、前記基準板は、白色の白基準板であることを特徴とする。
請求項３に記載の本発明は、請求項１又は２に記載の原稿画像読取装置において、前記三角マークは、基準板の複数個所に形成したことを特徴とする。
請求項４に記載の本発明は、請求項１、２又は３に記載の原稿画像読取装置において、前記三角マークは、基準板の読み取り画像領域の外の端に形成したことを特徴とする。
請求項５に記載の本発明は、請求項１、２、３又は４に記載の原稿画像読取装置において、前記シェーディングスキャンライン位置判定手段は、前記三角マークの出力巾でシェーディングスキャンライン位置の判定値を表示する表示手段からなることを特徴とする。
【０００６】
請求項６に記載の本発明は、請求項１、２、３、４又は５に記載の原稿画像読取装置において、前記シェーディングスキャンライン位置判定手段は、原稿画像読取手段のスキャナをシェーディングスキャンライン位置に移動させるシェーディング位置移動駆動手段からなることを特徴とする。
請求項７に記載の本発明は、請求項６に記載の原稿画像読取装置において、前記シェーディング位置移動駆動手段は、原稿画像読取手段のスキャナを走査駆動する駆動源と兼用したことを特徴とする。
請求項８に記載の本発明は、請求項１、２、３、４、５、６又は７に記載の原稿画像読取装置において、前記シェーディングスキャンライン位置判定手段は、三角マークの出力巾で判定したシェーディングスキャンライン位置を基準にして、原稿画像読取手段の読み取り原稿の読み取りを開始させることを特徴とする。
請求項９に記載の本発明は、原稿画像読取装置で読み取った原稿読み取り画像データで画像を形成する画像形成装置において、請求項１、２、３、４、５、６、７又は８に記載の原稿画像読取装置と、前記原稿画像読取装置で読み取った読み取り原稿の原稿読み取り画像データで画像を形成する画像形成部とからなることを特徴とする。
請求項１０に記載の本発明は、請求項９に記載の画像形成装置において、前記画像形成部は、電子写真方法の作像プロセスでトナー画像を形成することを特徴とする。
【発明の効果】
【０００７】
本発明は、以下に説明するように構成されているので、請求項１の発明によれば、フレア光等に影響される領域でのシェーディングによる筋画像等の異常画像の発生を防止して、最適領域でのシェーディングを行うことが出来る原稿画像読取装置を提供することが出来る。
請求項２の発明によれば、フレア光等に影響される領域での白基準板を使用するシェーディングによる筋画像等の異常画像の発生を防止して、最適領域でのシェーディングを行うことが出来る原稿画像読取装置を提供することが出来る。
請求項３の発明によれば、フレア光等に影響される領域でのシェーディングによる筋画像等の異常画像の発生を防止して、スキュー量を考慮した移動量を設定することにより、更に、ずれ量の少ない安定した最適領域でのシェーディングを行うことが出来る原稿画像読取装置を提供することが出来る。
請求項４の発明によれば、三角マークは基準板の読み取り原稿の原稿画像の読み取り画像領域の外の端に形成して、フレア光等に影響される領域でのシェーディングによる筋画像等の異常画像の発生を防止して、最適領域でのシェーディングを行うことが出来る原稿画像読取装置を提供することが出来る。
請求項５の発明によれば、手間がかかりコスト高となるチャート等をセットして求めなければ出て来ないスキュー量を原稿画像読取装置のみで算出して判定して、フレア光等に影響される領域でのシェーディングによる筋画像等の異常画像の発生を防止して、最適領域でのシェーディングを行うことが出来る低コストの原稿画像読取装置を提供することが出来る。
【０００８】
請求項６の発明によれば、原稿画像読取手段のスキャナをシェーディングスキャンライン位置に移動させて、フレア光等に影響される領域でのシェーディングによる筋画像等の異常画像の発生を防止して、最適領域でのシェーディングを行うことが出来る原稿画像読取装置を提供することが出来る。
請求項７の発明によれば、シェーディング位置移動駆動手段を走査駆動する駆動源と兼用して原稿画像読取手段のスキャナをシェーディングスキャンライン位置に移動させて、フレア光等に影響される領域でのシェーディングによる筋画像等の異常画像の発生を防止して、最適領域でのシェーディングを行うことが出来る低コストの原稿画像読取装置を提供することが出来る。
請求項８の発明によれば、手間がかかりコスト高となる副走査レジスト調整作業を工程にて実施しなくてもよくなり安定した読取を開始して、フレア光等に影響される領域でのシェーディングによる筋画像等の異常画像の発生を防止して、最適領域でのシェーディングを行うことが出来る低コストの原稿画像読取装置を提供することが出来る。
請求項９の発明によれば、フレア光等に影響される領域でのシェーディングによる筋画像等の異常画像の発生を防止して、最適領域でのシェーディングを実施して画像を形成して低コストである原稿画像読取装置を具備する画像形成装置を提供することが出来る。
請求項１０の発明によれば、フレア光等に影響される領域でのシェーディングによる筋画像等の異常画像の発生を防止して、最適領域でのシェーディングを実施して高速で高品質の画像を形成して低コストである原稿画像読取装置を具備する画像形成装置を提供することが出来る。
【発明を実施するための最良の形態】
【０００９】
次に、本発明の実施の形態は、図面を参照して詳細に説明する。
図１と図２において、基準板を設けてシェーディングして原稿の原稿画像を読み取る原稿画像読取装置０、読み取り原稿（Ｏ）の原稿画像を読み取る原稿画像読取手段１と、上記原稿画像読取手段１の読み取り原稿（Ｏ）の原稿画像の読み取りに際して行うシェーディングに使用する基準板２の白基準板２ａと、上記基準板２の上記白基準板２ａに形成した三角形状の三角マーク３と、上記三角マーク３の出力巾でシェーディングスキャンライン位置を判定するシェーディングスキャンライン位置判定手段４とからなり、フレア光等に影響される領域でのシェーディングによる筋画像等の異常画像の発生を防止して、最適領域でのシェーディングを実施する。
上記原稿画像読取手段１は、イメージセンサのＣＣＤ１ｋで上記コンタクトガラス１ｂ上に載置される原稿（Ｏ）の原稿画像の画像データを読み取り、２値化、多値化、階調処理、変倍処理、編集加工処理等が施されるようになっていると、共に、上記シェーディングスキャンライン位置判定手段４を介して、上記三角マーク３の出力巾でシェーディングスキャンライン位置等を算出して判定することが出来るようになっている。
上記原稿画像読取装置０における上記原稿画像読取手段１の読み取り原稿（Ｏ）の原稿画像の読み取りは、まず、上記コンタクトガラス１ｂ上に載置されて、左スケール１ｃ基準に読み取り原稿（Ｏ）がセットされて、白圧板１ｄにて読み取り原稿（Ｏ）を押えられる。
読み取り原稿（Ｏ）の原稿画像の読み取りスタートにて、駆動源１ａ3の駆動モータが、回転駆動を開始して、スキャナ１ａの第１キャリッジ１ａ1と第２キャリッジ１ａ2が、歯車列１ａ4、タイミングベルト１ａ5、タイミングベルト１ａ6、平ベルト１ａ7、並びに、平ベルト１ａ8等を経て駆動する。
【００１０】
上記スキャナ１ａの上記第１キャリッジ１ａ1が、一度、ホームポジションセンサ１ｄの検知により、ホームポジションに移動する。
そこから、所定のパルス量だけ、上記駆動源１ａ3の駆動モータが回転駆動して、上記スキャナ１ａの上記第１キャリッジ１ａ1と上記第２キャリッジ１ａ2が上記基準板２の上記白基準板２ａの下に移動して、上記シェーディングスキャンライン位置判定手段４にて、上記三角マーク３の出力巾でシェーディングスキャンライン位置を判定して、上記シェーディングスキャンライン位置判定手段４の判定値を表示手段４ａに表示して、上記シェーディングスキャンライン位置判定手段４の判定値でシェーディング位置移動駆動手段４ｂを兼用して低コストにする上記駆動源１ａ3の駆動モータが回転駆動して、上記原稿画像読取手段１の上記スキャナ１ａの上記第１キャリッジ１ａ1と上記第２キャリッジ１ａ2をシェーディングスキャンライン位置に移動させて、最適領域でのシェーディングが実施されるようになって、フレア光等に影響される領域でのシェーディングによる筋画像等の異常画像の発生を防止して、照明光源１ｆのランプにて読み取り原稿（Ｏ）、及び、上記基準板２の上記白基準板２ａを照射し、第１ミラー１ｇ、第２ミラー１ｈ、第３ミラー１ｉ、レンズ１ｊ等を介して上記ＣＣＤ１ｋに光が入って、読み取り原稿（Ｏ）の原稿画像の読み取り画像を読み取る。
【００１１】
図３と図４において、図３に図示するように、上記基準板２の上記白基準板２ａの読み取り原稿（Ｏ）の原稿画像の読み取り画像領域（Ｘ）の外の端の位置の部分に、上記三角マーク３が形成されている。
そこで、上記原稿画像読取手段１の読み取り原稿（Ｏ）の原稿画像の読み取りに際して、読み取り原稿（Ｏ）の原稿画像の読み取り前のシェーディングの実施を行う際に、図示する上記三角マーク３の出力巾（Ａ）を読み取り、上記シェーディングスキャンライン位置判定手段４によって、シェーディングの実施を行う位置を確認する。
シェーディングの実施を行う位置の確認は、次の（式−1）で行われて、スキャンライン位置となる。
スキャンライン位置＝ＴＡＮθ＊Ａ／２・・・（式−1）
シェーディングの実施を行う位置の確認後、ずれが生じている場合は、次の、理想（狙い）シェーディングスキャンライン位置（ａ１）は（式−２）で、検出（実際）したシェーディングスキャンライン位置（ｂ１）は（式−３）で、シェーディング位置移動量は（式−４）により、シェーディングの実施を行う最適領域での位置に移動する。
理想（狙い）シェーディングスキャンライン位置（ａ１）＝ＴＡＮθ＊ａ／２・・・（式−２）
検出（実際）したシェーディングスキャンライン位置（ｂ１）＝ＴＡＮθ＊ｂ／２・・・（式−３）
シェーディング位置移動量＝（ａ１）―（ｂ１）・・・（式−４）
従って、この事より、フレア光等に影響される領域でのシェーディングによる筋画像等の異常画像の発生を防止して、最適領域でのシェーディングを実施して読み取り原稿（Ｏ）の原稿画像を読み取る上記原稿画像読取装置０を提供することが出来るようになった。
【００１２】
図５と図６において、図５に図示するように、上記基準板２の上記白基準板２ａの読み取り原稿（Ｏ）の原稿画像の読み取り画像領域（Ｘ）の外の左右端の複数個所の２箇所の部分に、上記三角マーク３が形成されている。
上記基準板２の上記白基準板２ａの読み取り原稿（Ｏ）の原稿画像の読み取り画像領域（Ｘ）外の左右端の複数個所の２箇所の部分に、上記三角マーク３が形成して設けることにより、スキューが発生した場合、片側のみだと反対側のずれが生じてしまうが、上記三角マーク３を上記基準板２の上記白基準板２ａの読み取り原稿（Ｏ）の原稿画像の読み取り画像領域（Ｘ）外の左右両端に設けることにより、シェーディングの実施を行う位置の確認は、次の（式−1）で行われて、スキャンライン位置となる。
スキャンライン位置＝ＴＡＮθ＊Ａ／２・・・（式−1）
シェーディングの実施を行う位置の確認後、ずれが生じている場合は、次の、理想（狙い）シェーディングスキャンライン位置（ａ１）は（式−２）で、左端検出（実際）したシェーディングスキャンライン位置（ｂ１）は（式−３）で、右端検出（実際）したシェーディングスキャンライン位置（ｂ１）は（式−５）で、シェーディング位置移動量は（式−６）でスキュー量を踏まえた状態にて移動量を決めることが出来る。
理想（狙い）シェーディングスキャンライン位置（ａ１）＝ＴＡＮθ＊ａ／２・・・（式−２）
左端検出（実際）したシェーディングスキャンライン位置（ｂ１）＝ＴＡＮθ＊ｂ／２・・・（式−３）
右端検出（実際）したシェーディングスキャンライン位置（ｃ１）＝ＴＡＮθ＊ｃ／２・・・（式−５）
シェーディング位置移動量＝（ａ１）―（ｂ１＋ｃ１）／２・・・（式−６）
従って、そのため、スキュー量を考慮した移動量を設定することにより、更に、ずれ量の少ない安定した最適領域でのシェーディングを実施して、読み取り原稿（Ｏ）の原稿画像を読み取る上記原稿画像読取装置０を提供することが出来るようになった。
【００１３】
更に、上記シェーディングスキャンライン位置判定手段４は、左端検出（実際）したシェーディングスキャンライン位置（ｂ１）＝ＴＡＮθ＊ｂ／２・・・（式−３）、及び、右端検出（実際）したシェーディングスキャンライン位置（ｃ１）＝ＴＡＮθ＊ｃ／２・・・（式−５）にて求められた値を用いて、次の、スキュー量（％）は（式―７）で主走査スキューを求め、求めた判定値を上記表示手段４ａに表示することが出来る（図１を参照）。
スキュー量（％）＝（ｂ１―ｃ１）／（Ｄ）＊１００・・・（式―７）
尚、（Ｄ）は、図５に図示するように、上記基準板２の上記白基準板２ａの読み取り原稿（Ｏ）の原稿画像の読み取り画像領域（Ｘ）外の左右端の２箇所の部分に形成された両上記三角マーク３の間隔である。
従って、この事より、通常は、手間がかかりコスト高となるチャート等をセットして求めなければ出て来ないスキュー量を、上記原稿画像読取装置０のみで算出して判定して、その判定値を上記表示手段４ａに表示する低コストの上記原稿画像読取装置０を提供することが出来るようになった（図１を参照）。
【００１４】
図７において、上記原稿画像読取装置０における上記シェーディングスキャンライン位置判定手段４は、上記三角マーク３の出力巾で判定した狙いのシェーディングスキャンライン位置を基準にして、上記原稿画像読取手段１の読み取り原稿（Ｏ）の原稿画像の読み取りを開始させることが出来る。
図示するように、上記シェーディングスキャンライン位置判定手段４により、上記左スケール１ｃやモールド部分等と、上記基準板２の上記白基準板２ａ、及び、上記白圧板１ｄの部分で、出力差が生じる。
上記シェーディングスキャンライン位置判定手段４は、その出力部分の差にて、上記左スケール１ｃの先端部分の位置を検出することにより、狙いシェーディング位置からの距離（Ｅ）を算出して判定することが出来る。
この事よりシェーディング後、狙いシェーディング位置からの距離（Ｅ）を移動した後に、上記原稿画像読取手段１の読み取り原稿（Ｏ）の原稿画像の読み取りを開始することにより、通常は、手間がかかりコスト高となる副走査レジスト調整作業を工程にて実施しなくてもよくなり、尚、且つ、安定した読取開始をすることが出来る低コストの上記原稿画像読取装置０を提供することが出来るようになった。
【００１５】
図８において、原稿画像読取装置で読み取った原稿読み取り画像データで画像を形成する画像形成装置５０は、上記請求項１、２、３、４、５、６、７又は８に記載の上記原稿画像読取装置０と、上記原稿画像読取装置０で読み取った読み取り原稿（Ｏ）の原稿読み取り画像データで画像を形成する画像形成部５１とからなり、フレア光等に影響される領域でのシェーディングによる筋画像等の異常画像の発生を防止して、最適領域でのシェーディングを実施して画像を形成して低コストである。
電子写真方法の作像プロセスにより高速で高品質のトナー画像が形成される上記画像形成部５１の内部には、像担持体５１ａのドラム形状の感光体ドラムが回動可能に支持されて配置されている。
上記像担持体５１ａのドラム形状の感光体ドラムは、図示の矢印（Ｆ）方向の時計方向に回転駆動され、この時、帯電装置５１ｂによって、上記像担持体５１ａのドラム形状の感光体ドラムの表面が所定の電位に帯電される。
又、書き込みユニット５１ｃからは、上記原稿画像読取装置０の上記原稿画像読取手段１により原稿（Ｏ）から読み取られた画像情報の読み取り画像データに応じて光変調されたレーザー光（Ｌ）が出射し、そのレーザー光（Ｌ）が帯電された上記像担持体５１ａのドラム形状の感光体ドラムの表面を露光し、これによって、上記像担持体５１ａのドラム形状の感光体ドラムの表面に静電潜像が形成される。
【００１６】
上記像担持体５１ａのドラム形状の感光体ドラム表面に形成された静電潜像は現像装置５１ｄによって顕像化されてトナー画像が形成され、対向する転写装置５１ｅによって、上記像担持体５１ａのドラム形状の感光体ドラムと上記転写装置５１ｅの間に給送された被記録体（Ｐ）の記録用紙に転写されて記録される。
トナー画像が被記録体（Ｐ）の記録用紙に転写後の上記像担持体５１ａのドラム形状の感光体ドラム表面は、クリーニング装置５１ｆによって清掃されて、次工程の画像形成に備えられる。
上記画像形成部５１の下部に給紙装置５２が配置され、被記録体（Ｐ）の記録用紙を収容した複数のいずれかの給紙カセット５２ａ、給紙カセット５２ｂ、給紙カセット５２ｃから図示の矢印（Ｇ）方向に送り出されて、その被記録体（Ｐ）の記録用紙の表面に、上記像担持体５１ａのドラム形状の感光体ドラム表面に形成されたトナー画像が転写される。
次に、被記録体（Ｐ）の記録用紙は図示の矢印（Ｈ）方向に上記画像形成部５１内の定着装置５１ｇを通過し、この時の熱と圧力の作用によって、被記録体（Ｐ）の記録用紙の表面に転写されたトナー画像がその表面に定着される。
上記定着装置５１ｇを通過した被記録体（Ｐ）の記録用紙は、排紙ローラ対５１ｈによって排紙トレイ５１ｉに排出されて収納される。
従って、フレア光等に影響される領域でのシェーディングによる筋画像等の異常画像の発生を防止して、最適領域でのシェーディングを実施して高速で高品質の画像を形成して低コストである上記原稿画像読取装置０を具備する上記画像形成装置５０を提供することが出来るようになった。
【図面の簡単な説明】
【００１７】
【図１】本発明の実施の形態例を示す原稿画像読取装置を説明する説明図である。
【図２】本発明の実施の形態例を示す原稿画像読取装置の主要部を説明する説明図である。
【図３】本発明の実施の形態例を示す原稿画像読取装置の他の主要部の状態と動作を説明する説明図である。
【図４】本発明の実施の形態例を示す原稿画像読取装置の他の主要部の他の状態と他の動作を説明する説明図である。
【図５】本発明の実施の形態例を示す原稿画像読取装置の他の主要部の他の状態と他の動作を説明する説明図である。
【図６】本発明の実施の形態例を示す原稿画像読取装置の他の主要部の他の状態と他の動作を説明する説明図である。
【図７】本発明の実施の形態例を示す原稿画像読取装置の他の主要部の他の状態と他の動作を説明する説明図である。
【図８】本発明の実施の形態例を示す原稿画像読取装置を具備する画像形成装置を説明する説明図である。
【図９】従来の原稿画像読取装置の主要部における位置（ｍｍ）と出力（％）の特性を説明する説明図である。
【符号の説明】
【００１８】
０  原稿画像読取装置
１  原稿画像読取手段、
１ａ  スキャナ、
１ａ1  第１キャリッジ、
１ａ2  第２キャリッジ、
１ａ3  駆動源、
１ａ4  歯車列、
１ａ5  タイミングベルト、
１ａ6  タイミングベルト、
１ａ7  平ベルト、
１ａ8  平ベルト、
１ｂ  コンタクトガラス、
１ｃ  左スケール、
１ｄ  白圧板、
１ｅ  ホームポジションセンサ、
１ｆ  照明光源、
１ｇ  第１ミラー、
１ｈ  第２ミラー、
１ｉ  第３ミラー、
１ｊ  レンズ、
１ｋ  ＣＣＤ
２  基準板
３  三角マーク
４  シェーディングスキャンライン位置判定手段、
４ａ  表示手段、
４ｂ  シェーディング位置移動駆動手段
５０  画像形成装置
５１  画像形成部、
５１ａ  像担持体、
５１ｂ  帯電装置、
５１ｃ  書き込みユニット、
５１ｄ  現像装置、
５１ｅ  転写装置、
５１ｆ  クリーニング装置、
５１ｇ  定着装置、
５１ｈ  排紙ローラ対、
５１ｉ  排紙トレイ
５２  給紙装置、
５２ａ  給紙カセット、
５２ｂ  給紙カセット、
５２ｃ  給紙カセット
【図１】
2006094009.tif 000003
【図２】
2006094009.tif 000004
【図３】
2006094009.tif 000005
【図４】
2006094009.tif 000006
【図５】
2006094009.tif 000007
【図６】
2006094009.tif 000008
【図７】
2006094009.tif 000009
【図８】
2006094009.tif 000010
【図９】
2006094009.tif 000011